(57)【要約】      （修正有）【課題】ユーザーによる電子機器への制御に利便性を与える電子機器、キーアセンブリおよびキー制御方法を提供する。【解決手段】キーアセンブリはキーケース１、感知素子２、ベース３、リニアモータ４と弾性部材５を有する。感知素子２はキーケース１の表面に設けられ、キーケース１は弾性部材５を介してベース３に設けられ、リニアモータ４はキーケース１に設けられ、ベース３に対向し、感知素子２とリニアモータ４はそれぞれ電子機器のプロセッサに電気的に接続され、プロセッサは感知データに対応する振動パターンを取得し、リニアモータ４を振動パターンで振動させるように制御する。【選択図】図１
2020027618.tif 000002
【特許請求の範囲】
【請求項１】
キーアセンブリであって、
電子機器に用いられ、キーケース、感知素子、ベース、リニアモータおよび弾性部材を有し、
前記感知素子は、前記キーケースの表面に設けられ、ユーザの前記キーケースでの操作を感知したときに感知データを生成し、
前記キーケースは、前記弾性部材を介して前記ベースに設けられ、
前記リニアモータは、前記キーケースに設けられ、前記ベースに対向し、
前記感知素子と前記リニアモータは、それぞれ前記電子機器のプロセッサに電気的に接続され、
前記プロセッサは、前記感知データを受信し、前記感知データに対応する振動パターンを取得し、前記リニアモータを前記振動パターンで振動させるように制御し、
前記キーケースは、前記リニアモータの振動によって前記操作に対応する振動フィードバックを発生させる、ことを特徴とするキーアセンブリ。
【請求項２】
前記リニアモータは、前記キーケースの中心領域に設けられている、ことを特徴とする請求項１に記載のキーアセンブリ。
【請求項３】
前記弾性部材の数が複数であり、複数の前記弾性部材は、前記キーケースのエッジ領域に均一に設けられている、ことを特徴とする請求項１に記載のキーアセンブリ。
【請求項４】
前記感知素子は、感圧センサ又は容量性感知素子である、ことを特徴とする請求項１に記載のキーアセンブリ。
【請求項５】
前記弾性部材は、ばね又は弾性片である、ことを特徴とする請求項１に記載のキーアセンブリ。
【請求項６】
電子機器であって、
請求項１〜５のいずれか一項に記載のキーアセンブリと、プロセッサとを有し、
前記キーアセンブリにおける前記感知素子とリニアモータは、それぞれ前記プロセッサに電気的に接続されている、ことを特徴とする電子機器。
【請求項７】
キーケースの表面に設けられる感知素子によりユーザーの前記キーケースでの操作を感知し、感知データを生成するステップと、
前記感知データに対応する振動パターンを取得するステップと、
前記キーケースが前記リニアモータの振動によって前記操作に対応する振動フィードバックを発生させるように、前記キーケースに取り付けられたリニアモータを前記振動パターンで振動させるように制御するステップと、を含み、
前記キーケースは、弾性部材を介してベースに設けられていることを特徴とするキー制御方法。
【請求項８】
前記感知データは、前記操作の圧力情報、タッチ面積、タッチ点数、スライド方向、タッチ回数のうちの一つ又はそれらの任意の組合せを含む、ことを特徴とする請求項７に記載のキー制御方法。
【請求項９】
前記感知データが前記圧力情報である場合、前記感知データに対応する振動パターンを取得するステップは、
前記圧力情報から圧力の圧力レベルを識別するステップと、
圧力レベルと振動パターンとの所定対応関係に基づいて、前記圧力レベルに対応する振動パターンを取得するステップと、
を含むことを特徴とする請求項７に記載のキー制御方法。
【請求項１０】
前記振動パターンは、振動強度と振動回数とのうちの一つ又はそれらの組合せを含む、ことを特徴とする請求項７に記載のキー制御方法。
【発明の詳細な説明】
【技術分野】
【０００１】
本発明の実施例は、電子製品の技術分野に関し、特に電子機器、キーアセンブリ及びキー制御方法に関する。
【背景技術】
【０００２】
自動車やキーボードなどの装置における従来のキー構造の大半は、大きな押圧ストロークを有する従来の機械式押圧構造であり、その内部に弾性部材（例えば、ばね）が採用されており、弾性部材が外力（例えば、指による押圧力）を受けると、変形及びその逆動作が発生するため、ユーザーの指が押圧フィードバックを感じる。しかし、発明者らは、従来技術に少なくとも下記の問題が存在することを見出した。即ち、従来のキー構造は指で押圧することにより押圧フィードバックを直接的に引き起こすので、非常に機械的で扱いにくい。また、ユーザーが１つの操作（すなわち、押圧）でしか振動フィードバックを感じることができないため、該キーによって対応する電子機器が１つの機能のみ（例えば、削除機能のみ）を実現可能であり、ユーザーはキーによって電子機器をよりよく制御して多様な機能を実現することができず、ユーザーの異なるニーズを満たすことができない。
【発明の概要】
【発明が解決しようとする課題】
【０００３】
本発明の実施形態の目的は、ユーザーの異なる操作に応じて操作に対応する振動フィードバックを発生することで、ユーザーがキーでの異なる操作によって電子機器を制御して様々な機能を実現可能であり、ユーザーによる電子機器への制御に利便性を与える電子機器、キーアセンブリ及びキー制御方法を提供することにある。
【課題を解決するための手段】
【０００４】
上記技術的課題を解決すべく、本発明の実施形態は、キーアセンブリを提供する。当該キーアセンブリは、電子機器に用いられ、キーケース、感知素子、ベース、リニアモータと弾性部材を有し、前記感知素子は、前記キーケースの表面に設けられ、ユーザーの前記キーケースでの操作を感知したときに感知データを生成し、前記キーケースは、前記弾性部材を介して前記ベースに設けられ、前記リニアモータは、前記キーケースに設けられ、前記ベースに対向し、前記感知素子と前記リニアモータは、それぞれ前記電子機器のプロセッサに電気的に接続され、前記プロセッサは、前記感知データを受信し、前記感知データに対応する振動パターンを取得し、前記リニアモータを前記振動パターンで振動させるように制御し、前記キーケースは、前記リニアモータの振動によって前記操作に対応する振動フィードバックを発生させる。
【０００５】
本発明の実施形態は、上記キーアセンブリとプロセッサを有し、前記キーアセンブリにおける前記感知素子とリニアモータがそれぞれ前記プロセッサに電気的に接続される電子機器を更に提供する。
【０００６】
本発明の実施形態は、キー制御方法を更に提供する。当該キー制御方法は、キーケースの表面に設けられる感知素子によりユーザーの前記キーケースでの操作を感知し、感知データを生成するステップと、前記感知データに対応する振動パターンを取得するステップと、前記キーケースが前記リニアモータの振動によって前記操作に対応する振動フィードバックを発生させるように、前記キーケースに取り付けられたリニアモータを前記振動パターンで振動させるように制御するステップとを含み、前記キーケースは、弾性部材を介してベースに設けられている。
【０００７】
本発明の実施形態は従来技術に対して、電子機器に適用され、キーケース、ベース、弾性部材、プロセッサにそれぞれ接続されたリニアモータ、感知素子を有するキーアセンブリであって、感知素子がキーケースの表面に設けられ、キーケースが弾性部材を介してベースに設けられ、リニアモータがキーケースに設けられ、ベースに対向し、感知素子がユーザーのキーケースでの操作を感知したときに感知データを生成するためであり、プロセッサが感知データを受信したとき、感知データに対応する振動パターンを取得し、リニアモータを該振動パターンで振動させるように制御するためであり、キーケースがリニアモータの振動下で操作に対応する振動フィードバックを発生させるキーアセンブリを提供し、従来技術における指で押圧することにより振動フィードバックを引き起こす方法が代替され、キーのインテリジェント性及び操作多様性を向上させる。また、本発明の実施例によれば、ユーザーの異なる操作に応じて操作に対応する振動フィードバックを発生させることができ、ユーザーは振動フィードバックに基づいて対応する操作が完了したか否かを確認することにより、キーでの異なる操作により電子機器を制御して様々な機能を実現することができ、ユーザーによる電子機器への制御に利便性を与える。
【０００８】
また、リニアモータは、前記キーケースの中心領域に設けられている。本実施例では、リニアモータはキーケースの中心領域に設けられることにより、キーケースの移動をより容易に駆動することができる。
【０００９】
また、弾性部材の数が複数であり、複数の前記弾性部材は、前記キーケースのエッジ領域に均一に設けられている。本実施例では、複数の弾性部材はキーケースのエッジ領域に均一に設けられることにより、キーケースを安定的に支持することができる。
【００１０】
また、感知素子は、感圧センサ又は容量性感知素子である。本実施例では、感知素子は２種類が提供される。
【００１１】
また、感知データは、前記操作の圧力情報、タッチ面積、タッチ点数、スライド方向、タッチ回数のうちの一つ又はそれらの任意の組合せを含む。本実施例では、感知データは複数種類が提供される。
【００１２】
また、感知データが前記圧力情報である場合、前記感知データに対応する振動パターンを取得するステップは、前記圧力情報から圧力の圧力レベルを識別するステップと、圧力レベルと振動パターンとの所定対応関係に基づいて、前記圧力レベルに対応する振動パターンを取得するステップとを具体的に含む。本実施例では、振動パターンを取得する方法が提供される。
【００１３】
また、振動パターンは、振動強度と振動回数とのうちの一つ又はそれらの組合せを含む。本実施例では、振動パターンは複数種類が提供される。
【図面の簡単な説明】
【００１４】
一つ以上の実施例についてそれに対応する図面における図により例示的に説明する。これらの例示的な説明は実施例を限定するものではなく、図面において同一の参照符号を付されるものは類似の要素を示しており、特別な説明がなければ、図面において図示の比率は制限されない。
【図１】第１の実施形態に係るキーアセンブリの模式図である。
【図２】第２の実施形態に係る電子機器の模式図である。
【図３】第３の実施形態に係るキー制御方法の模式図である。
【図４】第４の実施形態に係るキー制御方法の模式図である。
【図５】第５の実施形態に係るキー制御方法の模式図である。
【発明を実施するための形態】
【００１５】
本発明の実施例の目的、技術的解決手段及び利点をより明らかにするために、以下、図面を参照して、本発明の各実施形態について詳細に説明する。本発明の各実施形態において、本願をよりよく理解させるために多くの技術的詳細を提出することは、当業者に理解される。しかしながら、これらの技術的詳細や以下の各実施形態に基づく種々の変更や修正がなくても、本願で保護を求める技術的解決手段を実現することができる。
【００１６】
本発明の第１の実施形態は、コンピュータなどの電子機器に用いられ、図１に示すように、キーアセンブリはキーケース１、感知素子２、ベース３、リニアモータ４と弾性部材５を有するキーアセンブリに関する。
【００１７】
本実施形態では、感知素子２は、キーケース１の表面に設けられ、ユーザーのキーケース１での操作を感知したときに感知データを生成する。キーケース１は、弾性部材５を介してベース３に設けられている。リニアモータ４は、キーケース１に設けられ、ベース３に対向する。感知素子２とリニアモータ４は、それぞれ電子機器のプロセッサに電気的に接続されている。
【００１８】
本実施形態では、プロセッサは、感知データを受信し、感知データに対応する振動パターンを取得し、リニアモータ４を振動パターンで振動させるように制御する。キーケース１は、リニアモータ４の振動によって操作に対応する振動フィードバックを発生させる。弾性部材５は、リニアモータ４のために振動空間を提供する。
【００１９】
本発明の実施例は、従来技術に対して、電子機器に応用され、キーケース、ベース、弾性部材、プロセッサにそれぞれ接続されたリニアモータ、感知素子を有するキーアセンブリであって、感知素子がキーケースの表面に設けられ、キーケースが弾性部材を介してベースに設けられ、リニアモータがキーケースに設けられ、ベースに対向し、感知素子がユーザーのキーケースでの操作を感知したとき、感知データを生成するためであり、プロセッサが感知データを受信したときに、感知データに対応する振動パターンを取得し、リニアモータを該振動パターンで振動させるように制御するためであり、キーケースがリニアモータの振動によって操作に対応する振動フィードバックを発生させるキーアセンブリを提供し、従来技術における指で押圧することにより振動フィードバックを引き起こす方法が代替され、キーのインテリジェント性及び操作多様性を向上させる。本発明の実施例によれば、ユーザーの異なる操作に応じて操作に対応する振動フィードバックを発生させることができ、ユーザーは振動フィードバックに基づいて対応する操作が完了したか否かを確認することにより、キーでの異なる操作により電子機器を制御して様々な機能を実現することができ、ユーザーによる電子機器への制御に利便性を与える。
【００２０】
以下、本実施形態におけるキーアセンブリの構造詳細について具体的に説明する。以下の内容は理解を容易にするために提供される解決手段の詳細のみであり、本発明の解決手段に必須であるとは限らない。
【００２１】
一例において、ベース３は電子機器のケースであってもよいが、実際にこれに限定されず、本実施例において、ベース３は何ら限定されず、実際の状況に応じて設置可能である。
【００２２】
一例において、弾性部材５はばね、弾性片等であってもよい。本実施例において、弾性部材５の種類は何ら限定されない。
【００２３】
一例において、感知素子２は、感圧センサであってもよく、容量性感知素子であってもよい。本実施例において、感知素子２の種類は何ら限定されず、実際の需要に応じて設置可能である。
【００２４】
一例において、図１に示すように、リニアモータ４は、キーケース１の中心領域に設けられることにより、キーケース１の移動をより容易に駆動することができる。しかし、ここで例示的な説明に過ぎず、本実施例において、リニアモータ４の設置位置は何ら限定されない。
【００２５】
一例において、弾性部材５の数が複数であり、複数の弾性部材５は、キーケース１のエッジ領域に均一に設けられることにより、キーケース１を安定的に支持することができる。しかし、ここで例示的な説明に過ぎず、本実施例において、弾性部材５の数や具体的な設置位置は何ら限定されない。
【００２６】
本実施形態において、リニアモータ４の数は１つであってもく、複数であってもよい。本実施例では、リニアモータ４の数は何ら限定されない。
【００２７】
本発明の第２の実施形態は、ノートパソコンなどの電子機器に関する。図２に示すように、電子機器は、第一実施形態におけるキーアセンブリとプロセッサ６を有し、キーアセンブリにおける感知素子２とリニアモータ４がそれぞれプロセッサ６に電気的に接続されている。
【００２８】
本実施形態は従来の技術に対して、電子機器は本発明の実施例において提供され、キーケース、ベース、弾性部材、プロセッサにそれぞれ接続されたリニアモータ、感知素子を有するキーアセンブリを備え、感知素子がキーケースの表面に設けられ、キーケースが弾性部材を介してベースに設けられ、リニアモータがキーケースに設けられ、ベースに対向し、感知素子がユーザーのキーケースでの操作を感知したときに感知データを生成するためであり、プロセッサが感知データを受信したときに、感知データに対応する振動パターンを取得し、リニアモータを該振動パターンで振動させるように制御するためであり、キーケースがリニアモータの振動によって操作に対応する振動フィードバックを発生させ、従来技術における指で押圧することにより振動フィードバックを引き起こす方法が代替され、キーのインテリジェント性及び操作多様性を向上させる。また、本発明の実施例によれば、ユーザーの異なる操作に応じて操作に対応する振動フィードバックを発生させることができ、ユーザーは振動フィードバックに基づいて対応する操作が完了したか否かを確認することにより、キーでの異なる操作により電子機器を制御して様々な機能を実現することができ、ユーザーによる電子機器への制御に利便性を与える。
【００２９】
本発明の第３の実施形態は、第２の実施形態における電子機器のプロセッサに適用されるキー制御方法に関する。図３に示すように、キー制御方法は、
感知素子によりユーザーのキーケースでの操作を感知し、感知データを生成するステップ１０１と、
感知データに対応する振動パターンを取得するステップ１０２と、
キーケースがリニアモータの振動によって操作に対応する振動フィードバックを発生させるように、キーケースに取り付けられたリニアモータを振動パターンで振動させるように制御するステップ１０３と、を含む。
【００３０】
本実施形態において、感知素子は、キーケースの表面に設けられ、キーケースは弾性部材を介してベースに設けられている。
【００３１】
一例において、感知素子は、感圧センサ又は容量性感知素子であってもよい。本実施例において、感知素子の種類は何ら限定されず、実際の需要に応じて設置可能である。
【００３２】
一例において、感知データは、ユーザー操作の圧力情報、タッチ面積、タッチ点数、スライド方向、タッチ回数のうちの一つ又はそれらの任意の組合せを含む。本実施例において、感知データの種類は何ら限定されない。
【００３３】
本実施形態において、プロセッサに感知データと振動パターンとの所定対応関係が予め記憶されているため、プロセッサは感知データ、感知データと振動パターンとの所定対応関係に基づいて該感知データに対応する振動パターンを取得する。
【００３４】
本実施例において、振動パターンは、振動強度と振動回数とのうちの一つ又はそれらの組合せを含む。本実施例において、振動パターンは何ら限定されない。
【００３５】
本実施形態において、ユーザーのキーケースでの操作、振動パターン、振動フィードバックは互いに対応する。
【００３６】
本発明の実施例は従来の技術に対して、本発明の実施例において提供されるキーアセンブリを制御するためのキー制御方法であって、感知素子によりユーザーのキーケースでの操作を感知したときに感知データを生成し、感知データに対応する振動パターンを取得し、リニアモータを該振動パターンで振動させるように制御することにより、キーケースがリニアモータの振動によって操作に対応する振動フィードバックを発生させるキー制御方法を提供する。すなわち、本発明の実施例によれば、ユーザーの異なる操作に応じて操作に対応する振動フィードバックを発生させることができ、ユーザーは振動フィードバックに基づいて対応する操作が完了したか否かを確認することにより、キーでの異なる操作に応じて電子機器を制御して様々な機能を実現することができ、ユーザーによる電子機器への制御に利便性を与える。
【００３７】
本発明の第４の実施形態は、キー制御方法に関する。第４の実施形態は、第３の実施形態に基づいて改善されており、主な改善点は、本発明の第４の実施形態において、振動パターンを取得する方法を提供することにある。
【００３８】
図４に示すように、本実施形態におけるキー制御方法では、本実施形態のステップ２０１、２０３が第１の実施形態のステップ１０１、１０３とそれぞれ同じで、本実施形態のステップ２０２が
圧力情報から圧力の圧力レベルを識別するサブステップ２０２１と、
圧力レベルと振動パターンとの所定対応関係に基づいて、圧力レベルに対応する振動パターンを取得するサブステップ２０２２と、を含む。
【００３９】
本実施形態では、感知データが圧力情報である場合、本ステップを実行する。また、プロセッサに圧力と圧力レベルとの所定対応関係が予め記憶されており、１つの圧力レベルが複数の圧力値に対応し、本実施例では、圧力情報からユーザー操作による圧力を識別し、上記所定対応関係に基づいて、該圧力に対応する圧力レベルを識別する。
【００４０】
本実施形態では、振動パターンが振動強度である場合、所定の対応関係が圧力レベルと振動強度との所定対応関係であり、異なる振動強度により、電子機器を制御して強度に対応する機能を実現し、振動パターンが振動回数である場合、所定の対応関係が圧力レベルと振動回数との所定対応関係であり、異なる振動回数により、電子機器を制御して回数に対応する機能を実現する。
【００４１】
一例において、予め記憶された圧力レベルは、圧力レベル１と圧力レベル２を含み、圧力レベル１が振動強度レベル１に対応し、圧力レベル２が振動強度レベル２に対応する。圧力の圧力レベルを圧力レベル２と識別したとき、圧力レベル２に対応する振動強度レベル２を取得する。しかし、ここで例示的な説明にすぎず、実際にはこれに限定されない。
【００４２】
本発明の実施例は、第３の実施形態に対して、感知データが圧力情報である場合、圧力情報から圧力の圧力レベルを識別し、圧力レベルと振動パターンとの所定対応関係に基づいて、圧力レベルに対応する振動パターンを取得する方法を提供する。
【００４３】
本発明の第５の実施形態は、キー制御方法に関する。第４の実施形態は、第３の実施形態に基づいて改善されており、主な改善点は、本発明の第５の実施形態において、振動パターンを取得する方法を提供することにある。
【００４４】
図５に示すように、本実施形態のキー制御方法では、本実施形態のステップ３０１、３０３が第１の実施形態におけるステップ１０１、１０３とそれぞれ同じで、本実施形態のステップ３０２が、タッチ点数に対応する振動パターンを取得するサブステップ３０２である。
【００４５】
本実施形態では、感知データがタッチ点数である場合、本ステップを実行する。また、本実施形態において、タッチ点数と振動パターンとの所定対応関係が予め記憶されている。
【００４６】
一例において、振動パターンが振動回数であり、シングルタッチが１回振動に対応し、マルチタッチが２回振動に対応するということが予め記憶されている。タッチ点数が２点である場合、取得された対応する振動パターンは２回振動である。しかし、ここで例示的な説明にすぎず、実際にはこれに限定されない。
【００４７】
本発明の実施形態は、第３の実施形態に対して、感知データがタッチ点数である場合、タッチ点数に対応する振動パターンを取得する別の方法を提供する。
【００４８】
上記実施形態が本発明を実施するための具体的な実施例であるが、実際の応用において本発明の精神および範囲から逸脱することなく形態および詳細について様々な変更を行なうことが可能であることは、当業者に理解され得る。
【図１】
2020027618.tif 000003
【図２】
2020027618.tif 000004
【図３】
2020027618.tif 000005
【図４】
2020027618.tif 000006
【図５】
2020027618.tif 000007